(57)【特許請求の範囲】
【請求項１】
結像光学系の焦点状態を検出する焦点検出手段と、
オートフォーカスの第１の動作モード、第２の動作モードを選択可能な動作モード選択手段と、
前記第１、第２の動作モードに対応した複数の設定項目の設定値を記憶している設定値記憶手段であって、当該記憶されている設定項目の設定値が前記第１の動作モードと前記第２の動作モードとでは複数異なる設定値記憶手段と、
前記第１の動作モード、前記第２の動作モードの選択に対応して設定値を前記設定値記憶手段から読み出し、設定する設定手段と、
前記第１の動作モードまたは前記第２の動作モードと対応付けて設定手段にて設定された前記設定項目の設定値を変更するとともに、前記設定値記憶手段に前記第１の動作モードまたは前記第２の動作モードと対応付けて当該変更後の設定値を記憶させる設定値変更手段とを有し、
前記設定手段により設定された前記設定項目の設定値よって前記焦点検出手段の動作を制御することを特徴とする撮像装置。
【請求項２】
前記設定値変更手段は、少なくとも１つの前記設定項目において標準的な設定値に対してプラス設定とマイナス設定が可能なことを特徴とする請求項１に記載の撮像装置。
【請求項３】
前記設定項目は、被写体追従特性に関する設定項目で、標準的な設定値より追従特性が強い設定と、標準的な設定値より追従特性が弱い設定が可能なことを特徴とする請求項２に記載の撮像装置。
【請求項４】
前記設定値変更手段は、少なくとも１つの前記設定項目において標準的な設定値に対してプラス設定だけが可能なことを特徴とする請求項１に記載の撮像装置。
【請求項５】
前記設定項目は、速度変化に対する追従特性に関する設定項目であることを特徴とする請求項４に記載の撮像装置。
【請求項６】
前記設定項目は、ＡＦフレーム乗り移り特性に関する設定項目であることを特徴とする請求項４に記載の撮像装置。
【請求項７】
前記設定変更手段にて変更された設定値を前記設定値に戻す設定初期戻し手段を有することを特徴とする請求項１乃至６のいずれか１項に記載の撮像装置。
【請求項８】
設定画面にて前記動作モード、前記設定項目、前記設定値を表示する表示手段を有することを特徴とする請求項１乃至７のいずれか１項に記載の撮像装置。
【請求項９】
前記表示手段は、前記設定値変更手段により変更された設定値を前記設定値とともに表示することを特徴とする請求項８に記載の撮像装置。
【請求項１０】
前記設定手段は、選択された前記動作モードに対応した設定値であって、前記設定値変更手段によって変更、記憶されていない設定値を前記設定値記憶手段から読み出し、前記複数の設定項目の設定値に初期値として設定することを特徴とする請求項１乃至９のいずれか１項に記載の撮像装置。
【発明の詳細な説明】
【技術分野】
【０００１】
本発明は、焦点状態を検出するカメラ等に好適な撮像装置の改良に関するものである。
【背景技術】
【０００２】
従来から、撮影環境に応じて最適な撮影動作を一括で自動的に設定する撮影モードを備えたカメラがある。この種のカメラには、人物の撮影に最適なポートレート撮影モード、風景の撮影に最適な風景撮影モード、夜景の撮影に最適な夜景撮影モードなどがあり、それぞれの撮影環境を容易に表す名称を附している。撮影者は撮影する環境に合った撮影モードさえ選択すれば、予め既定されているシャッター速度値、絞り値、露出補正値の各種設定値が一括で自動的に設定される。
【０００３】
このような撮影モードを備えたカメラでは、撮影者は、専門的な知識を要さずに撮影環境に応じた各種設定値を設定できる。
【０００４】
しかし、撮影モードを選択して一括で設定されるのは、「一般的に」適した撮影動作となるように採用されている各種設定値である。このため、選択されている撮影モードの「より具体的な」撮影において常に最適な撮影動作になるとは限らない。
【０００５】
そこで、特許文献１によって開示されているカメラでは撮影環境に応じて撮影モードを選択して撮影動作を一括で自動的に設定するものにおいて、撮影モードにおける焦点調節動作に関するフォーカス駆動の設定についても切り換えを行えるようにしている。これによって、特にフォーカス駆動については選択されている撮影モードの「より具体的な」撮影において最適な撮影動作になるよう操作性の向上を図ることができるというものである。
【先行技術文献】
【特許文献】
【０００６】
【特許文献１】特開２００４−１８４４３２号公報
【発明の概要】
【発明が解決しようとする課題】
【０００７】
しかしながら、前記の特許文献１に記載の発明は、特に、動いている被写体を撮影するのに適している焦点検出動作を備えたカメラにおいて、被写体の動きに応じて最適な焦点検出の動作を一括で自動的に設定する動作モードを備えているわけではない。
【０００８】
従来から、障害物の入り込み、背景へのぬけなどで被写体を外したときの焦点検出動作を設定できるカメラがある。このようなカメラでは、狙っていた被写体を外しても、できるだけこれまで狙っていた被写体にピントを合わせ続けるように焦点検出動作を変更することができる。逆に狙っていた被写体を変更した時に、すぐさま今狙っている被写体にピントを合わせにいくように焦点検出動作を変更することもできる。
【０００９】
撮影する被写体の動きに応じて焦点検出動作の設定を変えればもっとよくピントを合わせることができるのだが、このように焦点検出動作を変更するには撮影者に専門的な知識の習得と撮影の経験を積ませることを強いる作業となる。このため、撮影者は撮りたいシーンでどのように設定すれば良いのかがわかりにくい。経験が浅い人は、具体的にどう設定したら良いかわからないため使用できない。また、自分の撮影スタイルや撮影場面に応じて設定を変えるが、必ずしも最適な設定であるとは限らないことがある。
【００１０】
（発明の目的）
本発明の目的は、撮影者に撮影の経験を積ませることを強いることなく、オートフォーカスの動作モードを選択すれば、撮影する被写体の動きにピントを追従させるための最適な焦点検出動作を設定することができる撮像装置を提供することである。
【課題を解決するための手段】
【００１１】
上記目的を達成するために、本発明の撮像装置は、結像光学系の焦点状態を検出する焦点検出手段と、オートフォーカスの第１の動作モード、第２の動作モードを選択可能な動作モード選択手段と、前記第１、第２の動作モードに対応した複数の設定項目の設定値を記憶している設定値記憶手段であって、当該記憶されている設定項目の設定値が前記第１の動作モードと前記第２の動作モードとでは複数異なる設定値記憶手段と、前記第１の動作モード、前記第２の動作モードの選択に対応して設定値を前記設定値記憶手段から読み出し、設定する設定手段と、前記第１の動作モードまたは前記第２の動作モードと対応付けて設定手段にて設定された前記設定項目の設定値を変更するとともに、前記設定値記憶手段に前記第１の動作モードまたは前記第２の動作モードと対応付けて当該変更後の設定値を記憶させる設定値変更手段とを有し、前記設定手段により設定された前記設定項目の設定値よって前記焦点検出手段の動作を制御することを特徴とするものである。
【発明の効果】
【００１２】
本発明によれば、撮影者に撮影の経験を積ませることを強いることなく、オートフォーカスの動作モードを選択すれば、撮影する被写体の動きにピントを追従させるための最適な焦点検出動作を設定することができる。
【図面の簡単な説明】
【００１３】
【図１】本発明の撮像装置の実施例であるカメラの構成を示すブロック図である。
【図２】実施例の外観を示す図である。
【図３】実施例の動作を示すフローチャートである。
【図４】メニュー表示画面およびサーボ設定画面を示す図である。
【図５】ヘルプ画面を示す図である。
【図６】詳細設定画面を示す図である。
【図７】数値設定画面を示す図である。
【図８】詳細設定画面の数値設定状態を示す図である。
【図９】サーボ設定画面からの状態遷移図である。
【図１０】詳細設定画面からの状態遷移図である。
【発明を実施するための形態】
【００１４】
本発明を実施するための形態は、以下の実施例に記載される通りである。
【実施例】
【００１５】
図１は、本発明の撮像装置の実施例であるカメラを示すブロック図である。図中、１０１は結像光学系である撮影レンズである。撮像素子１０７は、撮影レンズ１０１を通過した被写体光を受光し、光電変換して画像信号データを出力するＣＣＤやＣＭＯＳセンサ等で構成される。撮像素子１０７より出力された撮像信号はアナログ信号処理回路１０９に入力される。そして、Ａ／Ｄ変換器１１０によりアナログ信号からデジタル信号に変換される。
【００１６】
１０２は、半透過部を有する主ミラーであり、図１では撮影光束中に挿入された状態（ミラーダウン）を示している。主ミラー１０２は、撮影時には撮影光束外へ退避し、焦点検出時に撮影光路内に斜設される。また、主ミラー１０２は、撮影光路内に斜設された状態で、撮影レンズ１０１を通過した光束の一部をピント板１０３、ペンタプリズム１０４及び接眼レンズ１０５から構成される光学ファインダに導く。
【００１７】
サブミラー１０６は、主ミラー１０２の動作に同期して主ミラー１０２に対して折り畳みと展開が可能である。主ミラー１０２の半透過部を通過した光束の一部は、サブミラー１０６によって下方へ反射され、ＡＦセンサ（オートフォーカスセンサ）１０８に入射し、撮影レンズ１０１の焦点状態が位相差方式で検出される。ＡＦセンサ１０８は複数のＡＦフレームにそれぞれ対応した位置での焦点検出が可能である。  システムコントローラ１１２は、カメラ全体の制御を行うＣＰＵや記憶装置であるＲＡＭなどから構成され、、後述する各部の動作を適宜制御する。またシステムコントローラ１１２は、ＡＦセンサ１０８とともに撮影レンズ１０１の焦点状態を検出する焦点検出手段を構成する。
【００１８】
レンズ駆動部１１３は、システムコントローラ１１２に接続され、撮影レンズ１０１と通信を行う通信回路と、焦点調節を行うためにレンズ駆動を行うレンズ駆動機構と、その駆動回路を備える。ミラー駆動部１１４は、システムコントローラ１１２に接続され、主ミラー１０２を撮影光束外へ駆動する。センサ制御部１１５は、システムコントローラ１１２に接続され、ＡＦセンサ１０８を制御する。撮像素子駆動部１１６は、システムコントローラ１１２に接続され、撮像素子１０７を駆動する。
【００１９】
デジタル信号処理回路１１１は、システムコントローラ１１２に接続され、Ａ／Ｄ変換器１１０によりデジタル信号に変換された信号に対してシェーディング補正やガンマ補正などの画像処理を施す。
【００２０】
バッファメモリ１１７は、デジタル信号処理回路１１１に接続され、撮像素子１０７で撮像された複数フレーム分の画像信号データを記憶することができる。Ａ／Ｄ変換された信号は一旦このバッファメモリ１１７に記憶される。デジタル信号処理回路１１１はバッファメモリ１１７に記憶された画像信号データを読み込んで上述した各処理を行い、処理後の画像信号データを再びバッファメモリ１１７に記憶させる。
【００２１】
記録・再生信号処理回路１１８は、画像信号データをメモリカード等の記録媒体１１９に記録する。記録・再生信号処理回路１１８は、デジタル信号処理回路１１１に接続される。デジタル信号処理回路１１１で各種処理が施された画像信号データは、一旦バッファメモリ１１７に記憶された後に記録媒体１１９に記録される際には、圧縮、例えば、ＪＰＥＧ方式で圧縮される。一方、画像信号データを記録媒体１１９から読み込む際、記録・再生信号処理回路１１８は、画像信号データの伸長処理を行う。記録・再生信号処理回路１１８には記録媒体１１９とデータ通信を行うためのインタフェースも含まれている。
【００２２】
表示装置１２１は、撮像された画像を表示するための表示手段であり、記録媒体１１９に記録されている画像信号データを再生表示する際にも用いられる。表示装置１２１に画像を表示する場合には、バッファメモリ１１７に記憶された画像信号データを読み出し、Ｄ／Ａ変換器１２０によりデジタル画像信号データをアナログ映像信号に変換する。そして、そのアナログ映像信号を用いて表示装置１２１に画像を表示する。
【００２３】
撮像素子１０７で撮像された画像を表示装置１２１で表示する形態には２つの形態がある。一つは、レリーズ操作が行われないときの表示形態であり、撮像素子１０７で繰り返し撮像される画像を逐次更新表示するライブビューと呼ばれる表示形態である。もう一つは、カメラのレリーズ操作後に、撮像素子１０７で撮像された画像を所定時間表示するフリーズ画と呼ばれる表示形態である。
【００２４】
操作部１２２には、システムコントローラ１１２に接続され、カメラの電源をオン・オフするための電源スイッチ、レリーズボタン、人物撮影モードなどの撮影モードを選択するための設定ボタンなど、カメラを操作するための操作部材が設けられている。これらのスイッチやボタンを操作すると、その操作に応じた信号がシステムコントローラ１１２に入力される。なお、レリーズボタンには、撮影者により操作されるレリーズボタンの第１ストローク操作（半押し操作）によりＯＮするスイッチＳＷ１と、レリーズボタンの第２ストローク操作（全押し操作）によりＯＮするスイッチＳＷ２とが接続されている。また、焦点調節モードとして、任意選択モード、領域拡大モード、自動選択モードがあり、撮影者の操作により適宜設定できるものとする。
【００２５】
次に図２は本実施例に係るカメラ（撮像装置）の外観を示す図である。図２（Ａ）はカメラの背面図、図２（Ｂ）はカメラの正面図である。この図を用いてカメラの操作部材の説明を行う。
【００２６】
図２（Ｂ）を用いてカメラの正面に配置された操作部材の説明を行う。２０１はカメラのボディである。ボディ２０１は、レリーズボタン２０４と、メイン電子ダイアル２０３と、撮影モードダイアル２０２を有している。１０１は撮影レンズで、ボディ２０１とは着脱が可能である。なお、図面ではレリーズボタン２０４を［ＲＥＬ］、メイン電子ダイアル２０３を［ＭＤＩＡＬ］、撮影モードダイアル２０２を［ＭＯＤＥ］と記す。
【００２７】
レリーズボタン２０４は、２段階で押し込むことができるスイッチである。撮影者が半押しすることにより、１段目のスイッチＳＷ１（第１のスイッチ）がＯＮになる。スイッチＳＷ１がＯＮになると、カメラの撮影準備動作であるＡＦ動作（オートフォーカス動作）や測光動作を開始する。さらにレリーズボタン２０４を押しこむ（全押しする）ことにより、２段目のスイッチＳＷ２（第２のスイッチ）がＯＮになる。スイッチＳＷ２がＯＮになるとカメラの撮影動作が実行される。
【００２８】
撮影モードダイアル２０２はダイアル式スイッチである。このスイッチによりカメラの撮影モードを設定することができる。
【００２９】
メイン電子ダイアル２０３は、他の操作部材と併用して、カメラに数値を入力したり、各種の動作モードを切り換えたりするための多機能信号入力部材である。
【００３０】
次に図２（Ａ）を用いてカメラの背面に配置された操作部材の説明を行う。
カメラの背面には、インフォメーションボタン２０５、メニューボタン２０６、キューボタン２０７、再生ボタン２０８、消去ボタン２０９などのボタンスイッチが配置されている。また、サブ電子ダイアル２１２、セットボタン２１３、８方向入力スイッチ２１４の入力スイッチや、表示装置１２１が配置されている。なお、図面ではインフォメーションボタン２０５を［ＩＮＦＯ］、メニューボタン２０６を［ＭＥＮＵ］、キューボタン２０７を［Ｑ］、再生ボタン２０８を［ＰＬＡＹ］、消去ボタン２０９を［Ｅｒａｓｅ］、サブ電子ダイアル２１２を［ＳＤＩＡＬ］、セットボタン２１３を［ＳＥＴ］、８方向入力スイッチ２１４を［ＭＬＴ］と記す。
【００３１】
サブ電子ダイアル２１２は、他の操作部材と併用して、カメラに数値を入力したり、各種の動作モードを切り換えたりするための多機能信号入力部材である。セットボタン２１３は、設定値を決定するボタンである。
【００３２】
８方向入力スイッチ２１４は、画面上の指標（フォーカス表示やタブ選択表示）を上、下、左、右、および斜めの８方向に動かすためのスイッチである。移動可能な方向はそれぞれ画面により個別に決められている。さらに、８方向入力スイッチ２１４はＡＦフレームを選択するときにも使うスイッチである。
【００３３】
表示装置１２１は、ボディ２０１の背面に設けられた画像表示部である。表示装置１２１には、ライブビュー画像を表示したり、各種設定メニューを表示したり、カメラの測光値や動作状態を表示したりする。
【００３４】
インフォメーションボタン２０５は、表示装置１２１に表示された内容の切り換えを行うためのスイッチで、メニュー画面でインフォメーションボタン２０５を押すと、押している間その画面の説明文章を表示することができる。
【００３５】
メニューボタン２０６は、表示装置１２１にカメラの各種設定を行うためのメニュー画面を表示させるためのものである。メニュー画面では、設定項目のリストが表示される。サブ電子ダイアル２１２で設定項目の選択を行い、希望する設定項目でセットボタン２１３を押すと、その設定項目の設定画面になる。設定項目や設定値の選択はメイン電子ダイアル２０３、８方向入力スイッチ２１４を使っても行うことができる。
なお、メニュー画面からＡＦの動作モードを設定する方法については後述する。
【００３６】
メニュー画面でキューボタン２０７をＯＮすると、その項目の詳細項目の設定をするための画面に切り換わる。この画面で詳細項目の設定を行うことができる。
再生ボタン２０８をＯＮするとカメラは再生モードになり、記録媒体１１９に記録されている画像信号データを表示装置１２１に表示する。このとき消去ボタン２０９をＯＮすると、表示されている画像データを記録媒体１１９から消去することができる。また、メニュー画面の詳細設定画面で消去ボタン２０９をＯＮすると詳細設定の内容を初期設定値に戻すことができる。
【００３７】
次に、メニューボタン２０６をＯＮすると表示されるメニュー画面について図４（Ａ）で説明する。
大タブ３０２は、メニューの大項目を分類するタブ表示である。大タブには「撮影」タブ、「ＡＦ」タブ、「再生」タブ、「設定」タブ、「カスタム機能」タブ、「マイメニュー」タブがある。それぞれには機能を表現するアイコンが表示される。タブの地を黒く表示する（３５２はタブ選択表示）ことでこのタブが選択されていることを表す。図４（Ａ）は、「撮影」タブ（図面では「ＲＥＣ」と記す）が選択されている例である。大タブ３０２は複数の小タブ３０３に分割されていて、１つの小タブの内容が１画面で表示できるようなっている。小タブ３０３の数に対応して四角のマークが表示されている。選択されている小タブは黒塗りの四角（３５３は小タブ選択表示）により表示される。図４（Ａ）は小タブ３０３が「ＲＥＣ３」の例である。
【００３８】
３０４は小タブ名表示で、選択された小タブ３０３の名称が表示される。その隣には、小タブ３０３の簡単なガイドが表示される（３０５は小タブガイド）。
選択された小タブ３０３の設定項目と設定値は設定エリア３０６に表示される。小タブガイド３０５は省略される場合もある。
【００３９】
メニュー画面でメイン電子ダイアル２０３を操作することにより小タブ３０３の選択を行うことができる。右に１クリック回転操作すると、１つ右の小タブ３０３が選択される。右端の小タブ３０３からさらに右に操作すると、次（右）の大タブ３０２の左端の小タブ３０３が選択される。メイン電子ダイアル２０３を左回転させた場合、左の小タブ３０３が選択される。左端の小タブ３０３からさらに左に操作すると、ひとつ前（左）の大タブ３０２の右端の小タブ３０３が選択される。８方向入力スイッチ２１４の左右方向の操作を行っても同様に選択できる。
【００４０】
設定エリア３０６に表示される各設定項目を選択するのは、サブ電子ダイアル２１２で行う。８方向入力スイッチ２１４の上下を使って選択することもできる。
大タブ３０２、小タブ３０３、設定項目の選択方法はこれに限定されるものではなく、８方向入力スイッチ２１４で大タブ３０２だけを直接選択させたり、他の操作部材を補助的に使用したりしてもよい。
【００４１】
図４（Ｂ）を参照して、本発明の実施例による、動作モードの設定画面（サーボ設定画面４０１）について説明する。サーボ設定画面４０１はメニュー画面の一つで、大タブ分類「ＡＦ」タブの一番目（左端）の小タブに分類されている。ＡＦタブ４０２が選択表示、１番目の小タブが黒四角表示（サーボ設定・小タブ４０３）となっている。小タブ名表示３０４は、「ＡＦ１」、小タブガイド３０５は「サーボ設定」と表示され、この画面が「サーボ設定」であることがわかる。
【００４２】
サーボ設定画面の設定エリア３０６の左端には動作モードアイコン４１１−４１６が縦に並ぶ。それぞれの動作モードの説明は後述する。選択されている動作モードアイコンが黒枠で表示される（４５０はフォーカス表示）。
【００４３】
サブ電子ダイアル２１２または８方向入力スイッチ２１４の上下により動作モードの選択操作ができる。選択された動作モードアイコンにフォーカス表示４５０が移動する。
【００４４】
動作モードアイコン（４１１、４１２、４１３、４１４、４１５、４１６）の右側、設定エリア３０６の上側には動作モードガイダンスエリア４０６がある。動作モードガイダンスエリア４０６には、動作モード名称４０７と動作モード説明４０８が表示される。動作モード名称４０７は選択された動作モード（フォーカス表示されたアイコンに対応した動作モード）の名称が表示される。動作モードの簡単な説明が動作モード説明４０８に表示される。それぞれの動作モードにおける動作モード説明の内容は後述する。
【００４５】
設定エリア３０６の領域内下部分（動作モードガイダンスエリア４０６の下）には、複数のパラメータ（４２１、４２２、４２３）とパラメータ目盛（４２４、４２５、４２６）が表示される。
【００４６】
パラメータ１（４２１）は「被写体追従特性」で、サーボＡＦで焦点検出中に、ＡＦフレームが被写体から外れた時の補足特性の設定を行う設定項目である。プラス側に設定すると、ＡＦフレームが新たに捉えた被写体にピントを合わせ易くする設定で、ＡＦフレームに入った被写体に素早くピントを合わせ、次々に撮影したいときに適した設定となる。＋１よりも＋２の方が別の被写体に素早く反応する。逆に、マイナス側に設定すると、ＡＦフレームが被写体から一瞬外れても、狙っている被写体にピントを合わせ続ける設定になる。−１よりも−２のほうが、狙っている被写体を長く捉え続ける。「被写体追従特性」は標準的な設定を０とし、「俊敏」な方をプラス側、「粘る」方をマイナス側としてそれぞれ２段階の調整幅を持たせている。設定値は、パラメータ１目盛は図７（Ｂ）のように中央を０、±２の横軸の目盛と指標とで表示され、プラス設定とマイナス設定が可能である。
【００４７】
パラメータ２（４２２）は「速度変化に対する追従特性」で、被写体の加速、減速、停止など、速度変化に対するサーボＡＦの動作を変えるパラメータ（設定項目）である。０は、急加速／急減速しない被写体でピントが安定する。＋１、＋２は急な動き出しや急加速、急減速、急停止する被写体に適している。なお、速度変化の少ない被写体に対しては、＋１や＋２を設定するとピントが不安定になることがあるので、被写体の速度変化に対して適切な設定を行う必要がある。＋１よりも＋２のほうが大きい速度変化に追従できる。「速度変化に対する追従特性」は加速および減速に対する追従特性であるため、マイナス側の設定値はなく、０、＋１、＋２の３段階で設定する。パラメータ２目盛は図８（Ｂ）ように横軸０〜２の目盛と指標とで設定値を表示し、プラス設定だけを可能にする。
【００４８】
パラメータ３（４２３）は、「ＡＦフレーム乗り移り特性」で、複数あるＡＦフレームを自動選択で使う時に機能する設定項目である。上下／左右に動く被写体を撮影するときに、ＡＦフレームを自動的に選択する特性が変えられる。０は、ＡＦフレームの乗り移りがゆるやかな標準的な設定で、＋１、＋２は、わずかなピント変化に反応して焦点検出するＡＦフレームが移動する設定となる。＋１よりも＋２のほうが、ＡＦフレームがより乗り移りやすくなる。＋１や＋２に設定した場合、ＡＦフレームが移りやすくなりすぎることがあるため、被写体に応じて設定することが重要である。
【００４９】
「ＡＦフレーム乗り移り特性」はＡＦフレームの乗り移りのしやすさのパラメータなので、マイナス側の設定値はなく、０、＋１、＋２の３段階で設定する。パラメータ３目盛４２６も図８（Ｂ）と同様な表示となる。
【００５０】
設定エリア３０６の領域内一番下には、操作ガイダンスエリア４３０がある。ここには、使用する操作部材のアイコンとそのガイダンスが表示される。サーボ設定画面４０１では、インフォメーションボタン２０５のアイコン４３１（操作部材アイコン１）と操作部材ガイダンス４３２（操作部材ガイダンス１）、キューボタン２０７のアイコン４３３（操作部材アイコン２）と操作部材ガイダンス４３４（操作部材ガイダンス２）が表示される。
【００５１】
操作部材ガイダンス１（４３２）は「ヘルプ」と表示され、インフォメーションボタン２０５の操作でヘルプ表示を行うことが分かるようになっている。操作部材ガイダンス２（４３４）は「詳細設定」と表示され、キューボタン２０７で詳細設定を行う画面に遷移することを示している。
【００５２】
ここで、個々の動作モードとそれぞれのパラメータについて説明する。
動作モードアイコン４１１を選択すると、動作モード名称４０７は、「ケース１」、動作モード説明４０８は、「汎用性の高い基本的な設定」と表示される。
【００５３】
それぞれのパラメータの初期設定値は、「被写体追従特性」：０、「速度変化に対する追従特性」：０、「ＡＦフレーム乗り移り特性」：０である。初期設定値はシステムコントローラ１１２のＲＡＭに記憶されている。
【００５４】
「ケース１」は、多くの撮影シーンと被写体に対応できる汎用性の高い設定である。
動作モードアイコン４１２を選択すると、動作モード名称４０７は、「ケース２」、動作モード説明４０８は、「障害物や激しい動きで被写体がＡＦフレームから外れやすいとき」と表示される。
それぞれのパラメータの初期設定値は、「被写体追従特性」：−１、「速度変化に対する追従特性」：０、「ＡＦフレーム乗り移り特性」：０である。
【００５５】
「ケース２」は、狙っていた被写体がＡＦフレームから一瞬外れても、被写体にピントを合わせ続けようとする設定である。被写体の手前に障害物が一瞬入り込むときや、被写体の動きが激しく、ＡＦフレームから外れやすいシーンに効果的である。被写体がＡＦフレームから外れる時間が長いときは、「被写体追従性」を−２に設定すると、より効果的である。
【００５６】
具体的な撮影シーンとして、水泳のバタフライ、フリースタイルスキー、テニスなどがある。
動作モードアイコン４１３を選択すると、動作モード名称４０７は、「ケース３」、動作モード説明４０８は、「ＡＦフレームに入ってきた被写体に素早くピントをあわせたいとき」と表示される。
それぞれのパラメータの初期設定値は、「被写体追従特性」：＋１、「速度変化に対する追従特性」：０、「ＡＦフレーム乗り移り特性」：０である。
【００５７】
「ケース３」は、サーボＡＦ中に別の被写体を捉えると、その被写体に対してすぐにピント合わせを行う設定である。ＡＦフレームで捉えた被写体に素早くピント合わせしたいときや、別の被写体を次々と撮影したいシーンに効果的である。「被写体追従特性」を＋２に設定すると、より素早くピント合わせを始める設定となる。
【００５８】
具体的な撮影シーンとして、アルペン滑降スキー、自転車ロードレースのスタートなどに適している。
動作モードアイコン４１４を選択すると、動作モード名称４０７は、「ケース４」、動作モード説明４０８は、「被写体の速度変化が大きいとき」と表示される。
それぞれのパラメータの初期設定値は、「被写体追従特性」：０、「速度変化に対する追従特性」：＋１、「ＡＦフレーム乗り移り特性」：０である。
【００５９】
「ケース４」は、被写体の動く速さが瞬間的に大きく変化しても、その速度変化に追従してピントを合わせようとする設定である。被写体が急に動き出したり、急加速、急減速、急停止したりするシーンに効果的である。なお、速度変化の少ない被写体では、ピントが不安定になることがある。速度変化にＡＦが追従できないときは、「速度変化に対する追従性」を＋２に設定すると、より効果的となる。
【００６０】
具体的な撮影シーンは、モータースポーツ、サッカーなどがある。
動作モードアイコン４１５を選択すると、動作モード名称４０７は、「ケース５」、動作モード説明４０８は、「被写体の上下左右の動きが大きいとき」と表示される。
それぞれのパラメータの初期設定値は、「被写体追従特性」：０、「速度変化に対する追従特性」：０、「ＡＦフレーム乗り移り特性」：＋１である。
【００６１】
「ケース５」は、複数のＡＦフレームを自動選択するときに機能する。狙っている被写体の上下左右の動きが大きく、ピントが合わせにくいときは、自動的に焦点検出しやすいＡＦフレームに乗り移りながらピント合わせを続ける設定である。ＡＦフレームの乗り移りを積極的に行わせたいときは、「ＡＦフレーム乗り移り特性」を＋２に設定する。撮影シーンの例として、フィギュアスケート、エアレースなどがあげられる。
【００６２】
動作モードアイコン４１６を選択すると、動作モード名称４０７は、「ケース６」、動作モード説明４０８は、「被写体の速度変化と上下左右の動きが大きいとき」と表示される。
それぞれのパラメータの初期設定値は、「被写体追従特性」：０、「速度変化に対する追従特性」：＋１、「ＡＦフレーム乗り移り特性」：＋１である。
【００６３】
「ケース６」は、ＡＦフレームの自動選択で機能し、被写体の動く速さが瞬間的に大きく変化しても、その速度変化に追従してピントを合わせようとする設定である。また、狙っている被写体の上下左右の動きが大きく、ピントが合わせにくいときは、自動的に焦点検出しやすいＡＦフレームに乗り移りながらピント合わせを続ける。
【００６４】
速度変化にＡＦが追従できないときは、「速度変化に対する追従性」を＋２に設定すると、より効果的なことがある。さらに、ＡＦフレームの乗り移りを積極的に行わせたいときは、「ＡＦフレーム乗り移り特性」を＋２に設定するとよい。
具体的な撮影シーンとして、バスケットボール、新体操などの撮影に適する。
【００６５】
このように、動作モードガイダンスエリア４０６に動作モードの名称４０７と動作モード説明４０８を表示しているため、動作モードを的確に選択することができる。また、動作モードを選択すれば、個々のパラメータ１−３の効果を熟知していなくても撮影に適した設定を一括して行うことができる。
【００６６】
以下、図３を参照して、本発明の実施例による、動作モードの設定について説明する。
ステップＳ３００から動作モードの設定が実行される。操作部１２２の操作により、動作モードの選択画面であるサーボ設定画面４０１（図４（Ｂ））が表示装置１２１に表示される（Ｓ３０１）。具体的にはメニューボタン２０６をＯＮして、メイン電子ダイアル２０３を操作（または８方向入力スイッチ２１４を左右操作）して、ＡＦタブ４０２およびサーボ設定小タブ４０３を選択する。サーボ設定画面４０１において、サブ電子ダイアル２１２を操作すると、フォーカス表示４５０の位置が移り、別の動作モードが選択される。サブ電子ダイアル２１２とシステムコントローラ１１２が動作モード選択手段を構成する。別な動作モードが選択されると、選択された動作モードに応じて動作モードガイダンスエリア４０６や、各パラメータ目盛の表示が変更される（ステップＳ３０２）。選択された動作モードを記憶してステップＳ３０３へ進む。
【００６７】
ここで、インフォメーションボタン２０５が押されているか判定する。インフォメーションボタン２０５が押されていれば、選択された動作モードに関するヘルプ画面を表示する（Ｓ３０４）。
【００６８】
ここで、図５（Ａ）を参照して動作モードヘルプ画面５０１の説明を行う。
動作モードヘルプ画面５０１の一番上の行はタイトル表示エリア５０２である。ここには、左からヘルプ画面であることを表すヘルプアイコン５０３、動作モードアイコン１（４１１）、動作モード名称４６３が表示される。動作モードアイコン１が選択されている場合、動作モード名称４６３には「ケース１」が表示される。タイトル表示エリア５０２の下にヘルプ説明５０４が表示される。ここには、前述した動作モード説明４０８の内容が表示される。ヘルプ説明５０４は、動作モードガイダンスエリア４０６に表示される動作モード説明４０８より詳細な内容が記載されている。動作モードに適したシーンの説明、それぞれのパラメータの作用、その値を効果的に変更する方法が説明される。具体的な撮影シーンの例を示しているため、最適な動作モード選択することができる。
【００６９】
図３に戻りフローチャートの説明を続ける。ステップＳ３０５へ進み、インフォメーションボタン２０５がＯＮしているか判定する。インフォメーションボタン２０５がＯＮの間ステップＳ３０５、ステップＳ３０４をループして動作モードヘルプ画面５０１の表示を続ける。インフォメーションボタン２０５がＯＦＦならヘルプ画面からサーボ設定画面４０１へ表示を切り換え、ステップＳ３０６へ分岐する。ここでキューボタン２０７がＯＮしているか判定し、ＯＮならステップＳ３１０へ分岐し、パラメータの詳細設定を行う。キューボタン２０７がＯＦＦならステップＳ３３０へ進む。
【００７０】
ステップＳ３３０で、メニューボタン２０６の状態を判定する。メニューボタン２０６がＯＦＦならステップＳ３０１へ戻り、サーボ設定画面の処理を繰り返す。メニューボタン２０６がＯＮなら、サーボ設定画面（すなわちメニュー画面）による設定動作を終了する（ステップＳ３３１）。
【００７１】
図９の状態遷移図は、ステップＳ３００〜ステップＳ３０６、ステップＳ３３０、Ｓ３３１の動作を表している。メニューボタン２０６をＯＮすると点線内のメニュー画面３００（メニューの画面全般を表す）になり、再度メニューボタン２０６をＯＮするとメニュー画面３００から抜ける。メニュー画面３００内では、メイン電子ダイアル２０３によりタブの選択が行われる（例えば：⇔３０１⇔４０１⇔４９１⇔）。
【００７２】
一方サブ電子ダイアル２１２では、表示されているメニュー画面の項目選択が行われる。サーボ設定画面ではサーボ動作モードが選択される（４０１⇔４０１ｂ⇔４０１ｃ⇔）。
メイン電子ダイアル２０３、サブ電子ダイアル２１２の操作は、８方向入力スイッチ２１４の左右および上下で操作できるようにしてもよい。
【００７３】
サーボ設定画面４０１ではインフォメーションボタン２０５を押している間、選択された動作モードに対する動作モードヘルプ画面５０１が表示される。インフォメーションボタン２０５を離すともとの画面に戻る。
【００７４】
再び、図３のフローチャートに戻り説明を続ける。
ステップＳ３０６でキューボタン２０７がＯＮの場合、ステップＳ３１０へ進む。ここで、サーボ設定画面４０１から詳細設定画面４７１へ表示を切り換える。
【００７５】
ここで図６を参照し、詳細設定画面４７１の説明を行う。
詳細設定画面４７１では、フォーカス表示４５２がパラメータ１（４２１）およびパラメータ１目盛４２４の両者を囲む枠に移動する。
【００７６】
選択されている動作モードアイコンは、動作モード選択表示４５１で表示される。さらに、画面下部の操作ガイダンスエリア４３０に表示される内容も変わる。キューボタン２０７のアイコンおよびガイダンス表示が消え、消去ボタン２０９のアイコン４３３（操作部材アイコン３）および操作部材ガイダンス３（４３４）に変わる。操作部材ガイダンス３は、「初期設定」である。この詳細設定画面４７１で消去ボタン２０９をＯＮすると、パラメータ１「被写体追従特性」、パラメータ２「速度変化に対する追従特性」、パラメータ３「ＡＦフレーム乗り移り特性」が、選択されている動作モードの初期設定値に戻る。設定値変更により思惑と異なる動作になってしまった時などに、一括して初期設定値に戻すことができる。消去ボタン２０９とシステムコントローラ１１２は設定初期戻し手段を構成する。
【００７７】
図３のステップＳ３１１に戻って説明を続ける。ここで、インフォメーションボタン２０５が押されているか判定する。インフォメーションボタン２０５が押されていれば、選択されているパラメータ項目に対するヘルプ画面を表示する（Ｓ３１２）。
【００７８】
ここで、図５（Ｂ）を参照してパラメータヘルプ画面５１１の説明を行う。
パラメータヘルプ画面５１１では、選択されているパラメータ項目の説明が表示される。一番上の行はタイトル表示エリア５０２である。ここには、左からヘルプ画面であることを表すヘルプアイコン５０３、次にパラメータ名称が表示される（パラメータ１が選択されている場合、「被写体追従特性」と表示される）。タイトル表示エリア５０２の下に選択されているパラメータに対するヘルプ説明５０４が表示される。ヘルプ説明５０４が１画面内に収まらない場合、右側にスクロールボックス５１３、スクロールバー５１２を表示し、次の画面があることを表す。スクロール操作は、インフォメーションボタン２０５をＯＮしている最中にサブ電子ダイアル２１２を操作することで行う。下側の操作ガイダンスエリア４３０にインフォメーションボタン２０５とサブ電子ダイアル２１２の同時操作を表す操作部材アイコン４（４３７）を表示することでこの操作のガイダンスを行っている。
【００７９】
パラメータ項目のヘルプ説明５０４で、パラメータの効果や設定値をどのように変更すれば所望の動作になるかがわかる。具体的な内容は前述した各パラメータの説明と同様な内容となる。
【００８０】
図３に戻りフローチャートの説明を続ける。パラメータヘルプ画面５１１を表示した後、ステップＳ３１３へ進み、インフォメーションボタン２０５がＯＮしているか判定する。インフォメーションボタン２０５がＯＮの間ステップＳ３１２、ステップＳ３１３をループしてパラメータヘルプ画面５１１の表示を続ける。インフォメーションボタン２０５がＯＦＦならパラメータヘルプ画面５１１から詳細設定画面４７１に表示を切り換え、ステップＳ３１４へ分岐する。
【００８１】
ステップＳ３１４ではサブ電子ダイアル２１２を操作して、設定変更するパラメータの選択を行う。すなわち、パラメータ１（４２１）：「被写体追従特性」、パラメータ２（４２２）：「速度変化に対する追従特性」、パラメータ３（４２３）：「ＡＦフレーム乗り移り特性」のいずれかを選択する。
【００８２】
設定変更するパラメータが選択されたら、セットボタン２１３の判定を行う（Ｓ３１５）。セットボタン２１３がＯＮなら、ステップＳ３１６へ分岐する。ＯＦＦならステップＳ３２１へ進む。
【００８３】
ステップＳ３１６では、選択されたパラメータの数値設定を行う画面の表示を行う。選択されたパラメータが「被写体追従特性」の場合、数値設定画面４６１（図７（Ａ））を表示し、パラメータ数値設定を行う。パラメータが「速度変化に対する追従性」や「ＡＦフレーム乗り移り特性」の場合、図８（Ａ）のように詳細設定画面の表示の一部を変えてパラメータ数値設定を行う。
【００８４】
ここで、図７（Ａ）を用いて数値設定画面４６１の説明を行う。画面の上部には項目表示エリア４６２があり、パラメータ１の数値設定画面の場合「被写体追従特性」と表示される。その下には、現在の動作モードアイコンと動作モード名称が表示される（図の例は、動作モードアイコン１（４１１）と動作モード名称「ケース１」４６３）。その下に、数値表示エリア４６４があり、ここにパラメータ１の数値４６５が表示される。さらにその下はパラメータ１目盛４６６が表示される。「被写体追従特性」の目盛は、左端に［−］、中央［０］、右端［＋］の表示がある。０を中心に±２の範囲で設定できるので左端と中央の間、中央と右端の間にそれぞれ−１、＋１を表す目盛が表示される。設定値の指標は黒塗りで表示される（図では０の部分にある）。数値のマイナス側が「粘る」（パラメータ１ガイドＭ４６７）、プラス側には、「俊敏」（パラメータ１ガイドＰ４６８）と表示され、それぞれどのような動作になるか明示する。
【００８５】
画面最下部には操作部材ガイダンスが表示される。インフォメーションボタン２０５のアイコン４３１、操作部材ガイダンス１（４３２）の表示は、前述のとおりである。加えて、セットボタン２１３のアイコン（４３５）とそれに対応する操作部材ガイダンス３（４３６）を表示する。
【００８６】
操作部材ガイダンス３（４３６）は「ＯＫ」と表示され、セットボタン２１３の操作で変更した値を記憶するとともに、この画面から元の画面に遷移することを示している。
【００８７】
設定値変更はサブ電子ダイアル２１２又は８方向入力スイッチ２１４の左右で行う。操作を行うと即座にパラメータ数値４６５とパラメータ１目盛４６６の指標の表示が変わる。ただしこの時点では値は確定していない。すなわちパラメータ１の設定値としてまだ記憶されていない。
【００８８】
設定中のパラメータ数値の指標は黒塗りで表示され、その動作モードにおけるパラメータの初期設定値は白抜きの指標で表示する。このため変更したパラメータが初期設定値からどの程度変わっているかわかるようになっている。黒い指標を白抜きの指標の位置に変更することで初期設定値に戻すこともできる。図７（Ｂ）は、初期設定値０、設定中の値＋２の場合である。
【００８９】
図８（Ａ）はパラメータ２「速度変化に対する追従性」の数値設定状態を図示している。設定変更するパラメータ以外のパラメータおよびパラメータ目盛は消して（４８３）、設定する項目がわかりやすいようにする。パラメータ２目盛４２５の詳細を図８（Ｂ）に示した。パラメータ目盛は左端［０］、中央［１］、右端［２］と表示（４８４）し、パラメータが０〜２で設定できることを表している。設定中のパラメータ数値の指標は黒塗りで表示され、初期設定値は白抜きの指標で表示する。指標位置の変更はサブ電子ダイアル２１２又は８方向入力スイッチ２１４の左右で行う。消去ボタン２０９で黒塗りの指標は初期設定値の位置に移る。
【００９０】
セットボタン２１３でパラメータ数値を指標位置の数値に確定する。
このようにそれぞれのパラメータは動作モードによって一括設定された値から変更することができるため、個々の撮影シーンにあわせて調整することができる。
【００９１】
図３のフローチャートに戻り説明を行う。
サブ電子ダイアル２１２又は８方向入力スイッチ２１４の左右で設定値変更を行う（ステップＳ３１７）。
【００９２】
変更された数値は、セットボタン２１３のＯＮで記憶され、メニューボタン２０６がＯＮされると記憶しない。ステップＳ３１８でメニューボタン２０６がＯＮなら、変更された数値を記憶せずにステップＳ３２１へ分岐する。すなわち、数値変更はキャンセルされる。メニューボタン２０６がＯＦＦなら、セットボタン２１３の判定を行う（Ｓ３１９）。ＯＮならステップＳ３２０へ進み、数値を記憶する。その後、ステップＳ３２１へ進む。ステップＳ３１９でセットボタン２１３がＯＦＦならステップＳ３１６へ戻り、数値変更の処理をループする。システムコントローラ１１２のＲＡＭは初期設定値および変更された設定値を記憶する設定値記憶手段を構成する。また、サブ電子ダイアル２１２（または８方向入力スイッチ２１４）、セットボタン２１３、システムコントローラ１１２は設定値変更手段を構成する。
【００９３】
パラメータ数値の変更画面は、セットボタン２１３をＯＮして変更した数値を確定（記憶）するか、メニューボタン２０６をＯＮして数値変更をキャンセルすると、詳細設定画面４７１へ戻る。
【００９４】
ステップＳ３２１では消去ボタン２０９の判定を行い、ＯＦＦならステップＳ３２３へ進む。消去ボタン２０９がＯＮなら、それぞれのパラメータを選択されている動作モードの初期設定値に戻す。例えば動作モードが「ケース１」の時は、それぞれのパラメータは、「被写体追従特性」：０、「速度変化に対する追従特性」：０、「ＡＦフレーム乗り移り特性」：０に設定される。初期設定後、ステップＳ３２３へ進む。
【００９５】
ステップＳ３２３ではキューボタン２０７の判定を行い、ＯＦＦならステップＳ３１０へ戻り、引き続き詳細設定画面の処理を行う。キューボタン２０７がＯＮなら、詳細設定画面からサーボ設定画面へ表示を切り換え、ステップＳ３３０へ戻る。
【００９６】
図１０の状態遷移図は、ステップＳ３０６、ステップＳ３１０〜ステップＳ３２３の動作を表している。サーボ設定画面４０１でキューボタン２０７をＯＮすると詳細設定画面１（４７１）になり、サブ電子ダイアル２１２の操作で、数値変更するパラメータの選択を行う（（４７１）⇔（４８１）⇔）。セットボタン２１３の操作で数値を変更する画面（４６１、４８２）になる。数値変更の画面（４６１、４８２）では、セットボタン２１３で値を確定し、メニューボタン２０６でキャンセルとなる。インフォメーションボタン２０５でパラメータヘルプ画面５１１を表示する。
【００９７】
詳細設定画面（４７１、４８１、、）で消去ボタン２０９をＯＮすると、３種類のパラメータを初期設定値に戻す。
【００９８】
上述の実施例では設定項目が３つ（パラメータ１，２、３）であるが、設定項目は２つ以上の複数であれば良い。
【００９９】
以上、本発明の好ましい実施例について説明したが、本発明はこの実施例に限定されず、その要旨の範囲内で種々の変形及び変更が可能である。
【符号の説明】
【０１００】
１０８  ＡＦセンサ
１１２  システムコントローラ
１２１  表示装置
１２２  操作部
２０３  メイン電子ダイアル［ＭＤＩＡＬ］
２０７  キューボタン［Ｑ］
２０９  消去ボタン［Ｅｒａｓｅ］
２１２  サブ電子ダイアル［ＳＤＩＡＬ］
２１３  セットボタン［ＳＥＴ］
２１４  ８方向入力スイッチ［ＭＬＴ］
【図１】
0005404690.tif 000002
【図２】
0005404690.tif 000003
【図３】
0005404690.tif 000004
【図４】
0005404690.tif 000005
【図５】
0005404690.tif 000006
【図６】
0005404690.tif 000007
【図７】
0005404690.tif 000008
【図８】
0005404690.tif 000009
【図９】
0005404690.tif 000010
【図１０】
0005404690.tif 000011